(57)【特許請求の範囲】
【請求項１】
空気流通層を有する建造物の二重構造からなる屋根パネルの製造に供する、垂木と屋根下地材と断熱ボードとからなるパネル部材を載置するパネル製造部と、該パネル製造部を水平に固定支持するための複数の脚部と、からなる建造物屋根パネル製造用台において、
前記パネル製造部は、屋根パネルを構成する屋根下地材と垂木と断熱ボードとを固定設置するパネル定置部と、該パネルを固定するパネル固定部と、前記屋根下地材に固定設置する垂木を嵌合固定するための複数の等間隔に設置された一組の基準パネル用垂木嵌合溝と左右の吊パネル用垂木嵌合溝と左右エンドパネル用垂木嵌合溝とからなるパネル定置部に穿設される垂木嵌合溝と、を設けた構造である事を特徴とする建造物屋根パネル製造用台。
【請求項２】
前記垂木嵌合溝は、屋根パネルの基準となる位置に設置する基準パネルを形成するための一組の基準パネル用垂木嵌合溝と、基準パネルの左側となる位置に設置する左吊パネルを形成するための一組の左吊パネル用垂木嵌合溝と、基準パネルの右側となる位置に設置する右吊パネルを形成するための一組の右吊パネル用垂木嵌合溝と、屋根パネルの両端となる位置に設置する左右エンドパネルを形成するための一組の左右エンドパネル用垂木嵌合溝と、からなり、
前記一組の基準パネル用垂木嵌合溝と前記一組の左吊パネル用垂木嵌合溝と前記一組の右吊パネル用垂木嵌合溝と前記一組の左右エンドパネル用垂木嵌合溝は、各々等間隔で穿設された複数の溝からなるとともに、前記一組の基準パネル用垂木嵌合溝の両端の溝と前記一組の左吊パネル用垂木嵌合溝の右端の溝と前記一組の右吊パネル用垂木嵌合溝の左端の溝は他の溝より幅広に形成されており、
前記一組の基準パネル用垂木嵌合溝と前記一組の左吊パネル用垂木嵌合溝と前記一組の右吊パネル用垂木嵌合溝と前記一組の左右エンドパネル用垂木嵌合溝を共通の溝としたことを特徴とする請求項１記載の建造物屋根パネル製造用台。
【請求項３】
前記垂木嵌合溝は、更に左右の壁際に設置する一組の左壁際パネル用垂木嵌合溝と一組の右壁際パネル用垂木嵌合溝とからなり、左壁際パネル用垂木嵌合溝の最左溝および右壁際パネル用垂木嵌合溝の最右溝を独立した溝としてパネル定置部に穿設するとともに、左壁際パネル用垂木嵌合溝の最左溝および右壁際パネル用垂木嵌合溝の最右溝以外の溝を、前記一組の基準パネル用垂木嵌合溝と前記一組の左吊パネル用垂木嵌合溝と前記一組の右吊パネル用垂木嵌合溝と前記一組の左右エンドパネル用垂木嵌合溝と共通の溝としたことを特徴とする請求項２記載の建造物屋根パネル製造用台。
【請求項４】
前記建造物屋根パネル製造用台は、製造するパネルごとに、複数からなる垂木を垂木嵌合溝に嵌設するとともにパネル固定部によって固定し、前記垂木間に断熱ボードを嵌設固定して断熱ボードの長手方向両端に空気の流入・排気を行う孔を穿設した後、前記垂木と前記屋根下地材を固着して断熱ボードと屋根下地材との間に空気流通層が設けられた屋根パネルを形成することを特徴とする請求項１記載の建造物屋根パネル製造用台。
【発明の詳細な説明】
【技術分野】
【０００１】
本発明は、建造物内の空気を循環させる建造物内空気流通機構に用いる屋根パネルの製造用の台に関し、特に、基準パネル、左吊パネル、右吊パネルおよび左右エンドパネルを一の作業台で効率よく形成するための、建造物屋根パネル製造用台に関する。
【背景技術】
【０００２】
従来より、建造物内の空調設備に供される機器として、夏季はクーラー等の冷房装置が、冬季はストーブやガスヒーター等の暖房装置が広く一般的に使用されている。近年では、床下暖房機器のような暖房設備も普及しており、更に、建造物内全体の温度や湿度等を自動的に管理・制御して、建造物内の空調を一元管理する居住空間の快適性および経済性を追求したシステムが普及しつつある。
【０００３】
このような各機器は、エアコン等は電気を使用し、ストーブは灯油を使用するなど、エネルギー源を必ず必要とするものあり、空調一元管理システムも電気を利用しないと効率の良い空調管理の作動は不可能である。災害等によりエネルギー源が遮断された場合は当然に機器の使用は不能となるという問題点があり、また、環境に配慮した省エネ型の建造物内の空調設備に関する技術が求められる近年では、電気等のエネルギーを用いない空調が注目されるという事実もある。
【０００４】
本発明の出願人は、特許第３１７９３３号（特開平１０−３２５５８５号）および特許第４９４７７４６号（特開２０１２−２１９４７６号）の特許権者である。特許第３１７９３３号（特開平１０−３２５５８５号）には、建造物内に２重壁による空気を流通させる空間を設け、ここを太陽光が加熱することにより自然に暖められ、または、冷却されることにより空気が循環始動する構造が開示されており、これを促進・加速することにより建造物内における暖房または冷房に積極的に利用・加担し、暖冷房に消費される燃料を削減し、化石燃料への負荷を軽減する技術が開示されている。
【０００５】
また、特許第４９４７７４６号（特開２０１２−２１９４７６号）には、建造物の壁面および屋根に二重構造からなる空気流通層を設けてここを暖気が上昇気流によって流通する事により、電気的な制御を行うことなく、自然の力を利用して建造物全体の空気循環を促進する技術が開示されている。
これらはいずれも、建造物の壁面または屋根の構造に特徴があるため、このような構造の壁面および屋根の製造には技術力・労力が必要とされており、容易に製造するための装置が求められているのが現状である。
【０００６】
建造物の壁面を構成するための技術としては、特開平９−７０７２４号が存在する。ここでは、建築物の躯体に対し複数枚の外壁板を一度に設置可能にした外壁パネルを簡単且つ強固に組立製造可能にする技術として、幅狭長板状の外壁板を作業台前面の傾斜面に立掛け載置し、かかる載置状態の外壁板上方の嵌合凸部側に接着材を塗布した後、載置状態の外壁板の上方に次の外壁板を配置して、その嵌合凹部内に載置状態の外壁板の嵌合凸部を嵌め込む様にして、次の外壁板を傾斜面に立掛け載置することを順次行い、パネル裏面に一対のサイドフレームを固設し、更に表面側に外装部を形成外壁パネルを製造する技術およびその作業台の構造が開示されている。
【０００７】
この技術によれば、大量の外壁や屋根を効率よく製造する事が可能となるが、屋根には基準パネル、左吊パネル、右吊パネルおよび左右エンドパネルのように限定した数種類のパネルを使用するケースが多く、これを同じ作業台で効率よく製造することが上記技術では困難であった。また、二重構造屋根の製造には全く対応できないという問題があった。
【０００８】
自然に負荷を与えることのない建造物への居住を希望する人は増加傾向にあり、このような要望に対応した建造物を効率よく製造することが求められているため、上記のような問題点を解消した、屋根を効率よく製造可能な建造物屋根パネル製造用台の開発が待たれていた。
【特許文献１】特開平１０−３２５５８５号公報
【特許文献２】特開２０１２−２１９４７６号公報
【特許文献３】特開平９−７０７２４号公報
【発明の開示】
【発明が解決しようとする課題】
【０００９】
本発明は、上記問題を解決するため、建造物内の空気を循環させる建造物内空気流通機構に用いる屋根パネルの製造用の作業台であって、基準パネル、左吊パネル、右吊パネルおよび左右エンドパネルを一の作業台で効率よく組立製造可能とした建造物屋根パネル製造用台を提供する。
【課題を解決するための手段】
【００１０】
上記の目的を達成するために本発明に係る建造物屋根パネル製造用台は、空気流通層を有する建造物の二重構造からなる屋根パネルの製造に供する、垂木と屋根下地材と断熱ボードとからなるパネル部材を載置するパネル製造部と、該パネル製造部を水平に固定支持するための複数の脚部と、からなる建造物屋根パネル製造用台であって、前記パネル製造部は、屋根パネルを構成する屋根下地材と垂木と断熱ボードとを固定設置するパネル定置部と、該パネルを固定するパネル固定部と、前記屋根下地材に固定設置する垂木を嵌合固定するための複数の等間隔に設置された一組の基準パネル用垂木嵌合溝と左右の吊パネル用垂木嵌合溝と左右エンドパネル用垂木嵌合溝とからなるパネル定置部に穿設される垂木嵌合溝と、を設けた構成である。
【００１１】
また、前記垂木嵌合溝は、屋根パネルの基準となる位置に設置する基準パネルを形成するための一組の基準パネル用垂木嵌合溝と、基準パネルの左側となる位置に設置する左吊パネルを形成するための一組の左吊パネル用垂木嵌合溝と、基準パネルの右側となる位置に設置する右吊パネルを形成するための一組の右吊パネル用垂木嵌合溝と、屋根パネルの両端となる位置に設置する左右エンドパネルを形成するための一組の左右エンドパネル用垂木嵌合溝と、からなり、前記一組の基準パネル用垂木嵌合溝と前記一組の左吊パネル用垂木嵌合溝と前記一組の右吊パネル用垂木嵌合溝と前記一組の左右エンドパネル用垂木嵌合溝は、各々等間隔で穿設された複数の溝からなるとともに、前記一組の基準パネル用垂木嵌合溝の両端の溝と前記一組の左吊パネル用垂木嵌合溝の右端の溝と前記一組の右吊パネル用垂木嵌合溝の左端の溝は他の溝より幅広に形成されており、前記一組の基準パネル用垂木嵌合溝と前記一組の左吊パネル用垂木嵌合溝と前記一組の右吊パネル用垂木嵌合溝と前記一組の左右エンドパネル用垂木嵌合溝を共通の溝とした構成である。
【００１２】
更に、前記垂木嵌合溝は、更に左右の壁際に設置する一組の左壁際パネル用垂木嵌合溝と一組の右壁際パネル用垂木嵌合溝とからなり、左壁際パネル用垂木嵌合溝の最左溝および右壁際パネル用垂木嵌合溝の最右溝を独立した溝としてパネル定置部に穿設するとともに、左壁際パネル用垂木嵌合溝の最左溝および右壁際パネル用垂木嵌合溝の最右溝以外の溝を、前記一組の基準パネル用垂木嵌合溝と前記一組の左吊パネル用垂木嵌合溝と前記一組の右吊パネル用垂木嵌合溝と前記一組の左右エンドパネル用垂木嵌合溝と共通の溝とした構成でもある。
【００１３】
また、前記建造物屋根パネル製造用台は、製造するパネルごとに、複数からなる垂木を垂木嵌合溝に嵌設するとともにパネル固定部によって固定し、前記垂木間に断熱ボードを嵌設固定して断熱ボードの長手方向両端に空気の流入・排気を行う孔を穿設した後、前記垂木と前記屋根下地材を固着して断熱ボードと屋根下地材との間に空気流通層が設けられた屋根パネルを形成する構成である。
【発明の効果】
【００１４】
本発明は、上記詳述した通りの構成であるので、以下のような効果を奏する。
１．パネル製造部にパネル固定部を設けたため、屋根パネルを構成する垂木と屋根下地材と断熱ボードとからなるパネルが固定された状態となるので作業効率が上がるとともに、製造時の誤差を最小にすることが可能となる。また、パネル製造部に複数の等間隔に設置された垂木嵌合溝を設けたため、基準パネル、左吊パネル、右吊パネルおよび左右エンドパネルを製造するための嵌合溝を一の作業台に形成しているので、効率よく複数の異なる種類のパネルを製造する事が可能となる。
【００１５】
２．基準パネル、左吊パネル、右吊パネルおよび左右エンドパネルを製造するための各嵌合溝を、等間隔に穿設したため、均等幅の空気流通層を形成することが出来る。また、一組の基準パネル用垂木嵌合溝の両端の溝と一組の左吊パネル用垂木嵌合溝の右端の溝と一組の右吊パネル用垂木嵌合溝の左端の溝を他の溝より幅広に形成したため、種別に応じたパネル構成とすることが可能となる。更に、基準パネル、左吊パネル、右吊パネル、左右エンドパネル用の垂木嵌合溝を共通の溝となる構成としたため、垂木嵌合溝の穿設数が最小となり、パネルの製造ミスを減らすことが可能となるとともに効率よく各パネルを製造することが可能となる。
【００１６】
３．左壁際パネル用垂木嵌合溝の最左溝および右壁際パネル用垂木嵌合溝の最右溝を独立した溝とするとともに、それら以外の溝を共通の溝としたため、溝の穿設数を最小とすることが可能となり、パネルの製造ミスを減らすことが可能となるとともに効率よく各パネルを製造することが可能となる。
４．製造するパネルごとに、垂木を垂木嵌合溝に嵌設して、屋根下地材をパネル固定部で固定し、垂木と断熱ボードと屋根下地材を固着して空気流通層を有する屋根パネルを形成するため、容易に複数種類のパネルを製造することが可能となり、あらゆる建造物の屋根パネルを一のパネル製造用台で製造する事が可能となる。
【発明を実施するための最良の形態】
【００１７】
以下、本発明に係る建造物屋根パネル製造用台を、図面に示す実施例に基づいて詳細に説明する。
図１は、本発明に係る建造物屋根パネル製造用台の平面図であり、図２は、建造物屋根パネル製造用台の側面図である。図３は、垂木嵌合溝を穿設したパネル製造部の例を示す側面断面図であり、図４は、製造されたパネルを示す断面図である。図５は、製造された各パネルの例を示す断面図である。
【００１８】
本発明の建造物屋根パネル製造用台１は、図２で示すように、パネル製造部１００と複数の脚部１１０とからなり、空気流通層を有する建造物の二重構造からなる屋根パネル２００の製造に供されるテーブル状の作業台となる。基準パネル２４２、左吊パネル２４４、右吊パネル２４６および左右エンドパネル２４８ａ、ｂ（右エンドパネル２４８ａ、左エンドパネル２４８ｂ）に分類される屋根パネル２００を一の作業台で製造する。このように、基準となるパネルを中央に設置した上で、左右それぞれに右側用のパネルや左側用のパネルを順次設置する方法を採用しているため、大きな誤差が生じる事がなく、各パネルの製造時にパネル幅の誤差が生じた場合でも、誤差が左右端の何れかに偏ることがなく、屋根の重量が不均衡になることを防ぎ、左右バランスよく屋根パネルを設置することが可能となっている。
【００１９】
パネル製造部１００は、板体からなる屋根下地材２１０とハット型の垂木２２０と断熱材からなる断熱ボード２３０とによって構成される屋根パネル２００（図４、図５参照）を載置するための台となる部材であり、本実施例では、図１の平面図に示すように、長方形に組まれた枠体１２２の上に後述のパネル定置部１２０が枠体１２２の長手方向と垂直に複数本固定設置されている。また、脚部１１０は、パネル製造部１００を水平に固定支持するための脚であり、図２に示すように、本実施例では、枠体１２２に左右対称に複数設けた構成となっている。本実施例では更に、脚部１１０の下端に脚部１１０毎に車輪１１２が設けられている。この構成とする事により、建造物屋根パネル製造用台１を容易に移動することが可能となり、より使い勝手の良い製造用台とすることが可能となる。
【００２０】
パネル製造部１００は、図１に示すように、パネル定置部１２０と、パネル固定部１３０とから構成される。パネル定置部１２０は、図３に示すように、定められた間隔で上端面に垂木嵌合溝１４０の設けられた細長立方体（棒状体）であり、図４で示すように、屋根パネル２００の構成部材である屋根下地材２１０と垂木２２０と断熱ボード２３０を水平に載架して固定設置する台である。パネルの種別によって異なる垂木２２０の位置を種別に応じて選択載架することを可能にするため、上端面に複数の垂木嵌合溝１４０が削設されている。また、パネル固定部１３０は、パネルを構成する垂木２２０のズレを防止するための端部に設けられた止め用の枠であり、本実施例では、パネル固定部１３０は垂木２２０に当接するとともに、パネル固定部１３０に穿設された固定用孔１３２を介してネジによって垂木２２０を仮止めすることで、垂木２２０のズレを防止し、ズレ・ねじれの無い安定した状態を作り出し、簡易かつ正確なパネルの製造を可能としている。
【００２１】
パネル定置部１２０は、図１に示すように、本実施例では、細長立方体で棒状体からなり、複数のパネル定置部１２０がパネル製造部１００の枠体１２２上に枠体の長手方向に直交して略等間隔に平行に設置される。この構成とすることにより、図５で示す基準パネル２４２、左吊パネル２４４、右吊パネル２４６および左右エンドパネル２４８ａ、ｂの設計変更が行われた場合であっても、容易に対応でき、改良したパネル定置部１２０に置き換えが可能となる。また、パネルの長さを任意に変更することが可能となり、特に長いパネルを製造する必要がある場合にも容易に対応することが可能となる。更に、建造物屋根パネル製造用台１を軽量にすることが可能となる。
【００２２】
パネル定置部１２０には、垂木嵌合溝１４０が削設される。垂木嵌合溝１４０は、図１および図３に示すように、屋根下地材２１０に固定設置する垂木２２０を嵌合して固定する凹溝であって、複数の凹溝が一定の間隔に削設されている。垂木嵌合溝１４０は、図３に示すように、一組の基準パネル用垂木嵌合溝１４２ａ〜ｅと、左右の吊パネル用垂木嵌合溝１４４ｂ〜ｅ・１４６ａ〜ｄと、左右エンドパネル用垂木嵌合溝１４８ａ〜ｅとによって構成されている。この構成とすることにより、一の作業台によって効率よく複数種類のパネルを製造する事が可能となる。
【００２３】
垂木嵌合溝１４０は、より詳しくは、基準パネル２４２と、左吊パネル２４４と、右吊パネル２４６と、左右エンドパネル２４８ａ、ｂの製造に用いられる溝であり、パネルの種別に応じて溝が使い分けられる。基準パネル２４２は、屋根パネルの基準となる位置に設置するパネルであり、左吊パネル２４４は、基準パネル２４２の左側となる位置に設置するパネルである。また、右吊パネル２４６は、基準パネル２４２の右側となる位置に設置するパネルであり、左右エンドパネル２４８ａ、ｂは、屋根パネルの両端となる位置に設置するパネルであり左右同じ溝を用いて製造される。
【００２４】
基準パネル用垂木嵌合溝１４２ａ〜ｅは、基準パネル２４２の製造に用いられる等間隔からなる一組の溝であり、左吊パネル用垂木嵌合溝１４４ｂ〜ｅは、左吊パネル２４４の製造に用いられる一定間隔からなる一組の溝である。また、右吊パネル用垂木嵌合溝１４６ａ〜ｄは、右吊パネル２４６の製造に用いられる一定間隔からなる一組の溝であり、左右エンドパネル用垂木嵌合溝１４８ａ〜ｅは、左右エンドパネル２４８ａ、ｂの製造に用いられる一定間隔からなる一組の溝である。
【００２５】
本実施例では、図３に示すように、一組の基準パネル用垂木嵌合溝１４２ａ〜ｅと、一組の左吊パネル用垂木嵌合溝１４４ｂ〜ｅと、一組の右吊パネル用垂木嵌合溝１４６ａ〜ｄと、一組の左右エンドパネル用垂木嵌合溝１４８ａ〜ｅは、各々等間隔で穿設された複数の溝で構成されている。すなわち、一組の基準パネル用垂木嵌合溝は、基準パネル用垂木嵌合溝１４２ａ・１４２ｂ・１４２ｃ・１４２ｄ・１４２ｅとからなり、一組の左吊パネル用垂木嵌合溝１４４は、左吊パネル用垂木嵌合溝１４４ａ・１４４ｂ・１４４ｃ・１４４ｄとからなり、一組の右吊パネル用垂木嵌合溝は、右吊パネル用垂木嵌合溝１４６ａ・１４６ｂ・１４６ｃ・１４６ｄとからなる。
【００２６】
また、一組の左右エンドパネル用垂木嵌合溝は、左右エンドパネル用垂木嵌合溝１４８ａ・１４８ｂ・１４８ｃ・１４８ｄ・１４８ｅとからなり、左右に応じて左右エンドパネル用垂木嵌合溝１４８ａと１４８ｅを選択的に使い分ける。この構成とする事により、パネルの種別に応じた溝を選択して垂木２２０を配置するだけで、基準パネル２４２と、左吊パネル２４４と、右吊パネル２４６と、左右エンドパネル２４８ａ、ｂ（右エンドパネル２４８ａ、左エンドパネル２４８ｂ）の各パネルを容易に作り分ける事が可能となる。
【００２７】
また、図３に示すように、一組の基準パネル用垂木嵌合溝１４２ａ〜ｅの両端の溝（１４２ａ、１４２ｅ）と、一組の左吊パネル用垂木嵌合溝１４４ｂ〜ｅの右端の溝（１４４ｅ）と、一組の右吊パネル用垂木嵌合溝１４６ａ〜ｄの左端の溝（１４６ａ）は、他の溝より幅広に形成されている。この構成とすることにより、パネル同士の接続部分の垂木２２０の幅を揃えることが可能となる。
【００２８】
また、本実施例では、一組の基準パネル用垂木嵌合溝１４２ａ〜ｅと、一組の左吊パネル用垂木嵌合溝１４４ｂ〜ｅと、一組の右吊パネル用垂木嵌合溝１４６ａ〜ｄと、一組の左右エンドパネル用垂木嵌合溝１４８ａ〜ｅは、共通の溝を用いている。この構成とする事により、パネル定置部１２０上に無駄な垂木嵌合溝１４０を穿設する必要がなくなり、各種パネルの製造時においても溝の選択ミスを減少させることが可能となる。また、垂木２２０の間隔や、パネル自体の大きさにぶれが生じることが無くなり、パネルの標準化が可能となる。
【００２９】
なお、本実施例では、一組の基準パネル用垂木嵌合溝１４２ａ〜ｅと、一組の左吊パネル用垂木嵌合溝１４４ｂ〜ｅと、一組の右吊パネル用垂木嵌合溝１４６ａ〜ｄと、一組の左右エンドパネル用垂木嵌合溝１４８ａ〜ｅを共通の溝としているが、これに限定されることはなく、パネルの仕様に応じて、溝を共通とするパネルを適宜選択することが可能である。
【００３０】
垂木嵌合溝１４０は、図３に示すように、一組の左壁際パネル用垂木嵌合溝１５２ａ〜ｅと一組の右壁際パネル用垂木嵌合溝１５４ａ〜ｅとを穿設することが可能である。左壁際パネル用垂木嵌合溝１５２ａ〜ｅは、左壁際に設置する左壁際パネル２５２を製造するための溝であり、右壁際パネル用垂木嵌合溝１５４ａ〜ｅは、右壁際に設置する左壁際パネル２５４を製造するための溝である。
【００３１】
左壁際パネル２５２は、設置する建造物の構造上、複数から構成される垂木２２０の間隔のうち、最左端の幅が他より狭くなっている。従って、本実施例では、左壁際パネル用垂木嵌合溝の最左溝となる左壁際パネル用垂木嵌合溝１５２ａは、専用に設けられる独立した溝としてパネル定置部１２０に穿設する構成となっている。また、左壁際パネル用垂木嵌合溝の最左溝である左壁際パネル用垂木嵌合溝１５２ａ以外の溝は、一組の基準パネル用垂木嵌合溝１４２ａ〜ｅ、一組の左吊パネル用垂木嵌合溝１４４ｂ〜ｅ、一組の右吊パネル用垂木嵌合溝１４６ａ〜ｄおよび一組の左右エンドパネル用垂木嵌合溝１４８ａ〜ｅと共通の溝を使用する構成となっている。この構成により、一の建造物屋根パネル製造用台１で、他のパネルと一部構造の異なる左壁際パネル２５２を同時に製造する事が可能となり、標準化されたパネルの形状・仕様をそのまま使用することが可能となる。
【００３２】
右壁際パネル２５４も同様に、設置する建造物の構造上、複数から構成される垂木２２０の間隔のうち、最右端の幅が他より狭くなっている。従って、本実施例では、右壁際パネル用垂木嵌合溝の最右溝となる右壁際パネル用垂木嵌合溝１５４ｅは、専用に設けられる独立した溝としてパネル定置部１２０に穿設する構成となっている。また、右壁際パネル用垂木嵌合溝の最右溝である右壁際パネル用垂木嵌合溝１５２ｅ以外の溝は、同様に、一組の基準パネル用垂木嵌合溝１４２ａ〜ｅ、一組の左吊パネル用垂木嵌合溝１４４ｂ〜ｅ、一組の右吊パネル用垂木嵌合溝１４６ａ〜ｄおよび一組の左右エンドパネル用垂木嵌合溝１４８ａ〜ｅと共通の溝を使用する構成となっている。この構成により、一の建造物屋根パネル製造用台１で、他のパネルと一部構造の異なる右壁際パネル２５４を製造する事が可能となり、標準化されたパネルの形状・仕様をそのまま使用することが可能となった。
【００３３】
本発明に係る建造物屋根パネル製造用台１の使用方法を概説する。まず、製造するパネルを選択し、垂木嵌合溝（一組の基準パネル用垂木嵌合溝１４２ａ〜ｅ、一組の左吊パネル用垂木嵌合溝１４４ｂ〜ｅ、一組の右吊パネル用垂木嵌合溝１４６ａ〜ｄ、一組の左右エンドパネル用垂木嵌合溝１４８ａ〜ｅ、一組の左壁際パネル用垂木嵌合溝１５２ａ〜ｅ、一組の右壁際パネル用垂木嵌合溝１５４ａ〜ｅ）に溝の数に応じたハット型からなる垂木２２０を嵌設する。例えば、基準パネル２４２を製造する場合には、一組の基準パネル用垂木嵌合溝１４２ａ〜ｅに垂木２２０をそれぞれ嵌設する。また、左右壁際パネル２５２、２５４を製造する場合には一部専用の垂木嵌合溝を使用する。
【００３４】
次に、垂木２２０をパネル固定部１３０によって固定する。本実施例では、前述のように、パネル固定部１３０に穿設された固定用孔１３２を介して、ネジによって垂木２２０を仮止めすることで、垂木２２０のズレを防止している。垂木２２０は、等間隔で嵌設されているため、等幅の断熱ボード２３０を垂木２２０間に嵌設して固定することができる。例えば、基準パネルを製造する場合には、一組の基準パネル用垂木嵌合溝１４２ａ〜ｅに嵌設された垂木２２０間に４枚の断熱ボード２３０を嵌設して固定する。なお、断熱ボード２３０は、垂木２２０と同長の直方体からなり、断熱ボード２３０側が建造物の内側に配置される。また、垂木２２０は、ハット型であるため、突設したタブ部分に断熱ボード２３０を載置固定することが可能となり、断熱ボード２３０の固定が容易となる。
【００３５】
断熱ボード２３０には、長手方向両端に空気の流入・排気を行う孔が穿設される。この孔を介して建造物内の空気が、空気流通層を有するパネル内に流入し排出される。その後、垂木２２０と屋根下地材２１０を釘等によって固着する。これにより、断熱ボード２３０と屋根下地材２１０との間に空気流通層が設けられた屋根パネル２００を形成することが可能となる。
【００３６】
以上の工程によって製造した各パネルの例（断面図）を図４および図５に示す。本発明に係る建造物屋根パネル製造用台１を用いる事により、図５に示すように、６尺幅（空気流通層が４本）、４．５尺幅（空気流通層が３本）、３尺幅（空気流通層が２本）の複数種類のパネル幅の異なる各種パネルを容易に製造することが可能となる。すなわち、図４および図５に示す空気流通層を有する屋根パネル２００をそのまま建築現場に搬入して、屋根部分に設置可能となり、効率の良い建造物の建築が可能となる。
【００３７】
断熱ボード２３０と垂木２２０、垂木２２０と屋根下地材２１０の固着には、接着剤を用いることが可能である。これにより、より密封性の高い空気流通層が設けられた屋根パネル２００を形成することが可能となる。
【図面の簡単な説明】
【００３８】
【図１】本発明に係る建造物屋根パネル製造用台の平面図
【図２】建造物屋根パネル製造用台の側面図
【図３】垂木嵌合溝を穿設したパネル製造部の例を示す側面断面図
【図４】製造されたパネルを示す断面図
【図５】製造された各パネルの例を示す断面図
【符号の説明】
【００３９】
１    建造物屋根パネル製造用台
１００    パネル製造部
１１０    脚部
１１２    車輪
１２０    パネル定置部
１２２    枠体
１３０    パネル固定部
１３２    固定用孔
１４０    垂木嵌合溝
１４２ａ〜ｅ    基準パネル用垂木嵌合溝
１４４ｂ〜ｅ    左吊パネル用垂木嵌合溝
１４６ａ〜ｄ    右吊パネル用垂木嵌合溝
１４８ａ〜ｅ    左右エンドパネル用垂木嵌合溝
１５２ａ〜ｅ    左壁際パネル用垂木嵌合溝
１５４ａ〜ｅ    右壁際パネル用垂木嵌合溝
２００    屋根パネル
２１０    屋根下地材
２２０    垂木
２３０    断熱ボード
２４２    基準パネル
２４４    左吊パネル
２４６    右吊パネル
２４８ａ    右エンドパネル
２４８ｂ    左エンドパネル
２５２    左壁際パネル
２５４    右壁際パネル
【要約】
【課題】
屋根パネルの製造用の作業台であって、基準パネル、左吊パネル、右吊パネルおよび左右エンドパネルを一の作業台で効率よく構成可能とした建造物屋根パネル製造用台を提供する。
【解決手段】
パネル部材を載置するパネル製造部と、複数の脚部とからなる建造物屋根パネル製造用台であって、パネル製造部は、パネル定置部と、パネル固定部と、複数の等間隔に設置された一組の基準パネル用垂木嵌合溝と左右の吊パネル用垂木嵌合溝と左右エンドパネル用垂木嵌合溝とからなるパネル定置部に穿設される垂木嵌合溝と、を設けた構成である。
【選択図】  図１【図１】
0005657163.tif 000002
【図２】
0005657163.tif 000003
【図３】
0005657163.tif 000004
【図４】
0005657163.tif 000005
【図５】
0005657163.tif 000006